(57)【特許請求の範囲】
【請求項１】
データ管理サーバに接続された画像形成装置に用いられる消耗品を販売する消耗品販売システムであって、
前記画像形成装置で現在使用中の消耗品よりも温室効果ガス排出量の少ない消耗品の製品情報と前記消耗品の温室効果ガス排出権購入費用の情報とを前記データ管理サーバから前記画像形成装置に送信する情報送信手段と、
前記消耗品の製品情報と前記温室効果ガス排出権購入費用の情報とを前記画像形成装置の表示部に表示させる情報表示手段と、
前記表示部に表示された情報に基づき消耗品を選択するための消耗品選択手段と、
前記消耗品選択手段により選択された選択結果を前記データ管理サーバに通知する選択結果通知手段と、
を備えることを特徴とする消耗品販売システム。
【請求項２】
前記消耗品の温室効果ガス排出量は、前記消耗品のライフサイクルにおける温室効果ガス排出量をＣＯ２排出量に換算した値であることを特徴とする請求項１に記載の消耗品販売システム。
【請求項３】
前記消耗品の温室効果ガス排出権購入費用は、温室効果ガス排出量の排出削減量、または吸収量の埋め合わせに係る費用であることを特徴とする請求項１または２に記載の消耗品販売システム。
【請求項４】
前記消耗品は、カーボンフットプリントマークが備えられていることを特徴とする請求項１から３のうちの何れか一項に記載の消耗品販売システム。
【請求項５】
前記表示部は、タッチパネルまたは操作キーを略一体的に備え、
前記情報表示手段は、前記タッチパネルまたは前記操作キーを操作することで前記表示部に前記消耗品の製品情報と前記消耗品の温室効果ガス排出権購入費用の情報を表示させることを特徴とする請求項１から４のうちの何れか一項に記載の消耗品販売システム。
【請求項６】
前記消耗品販売システムは、前記消耗品に備えられた記憶手段または記録手段に格納された情報を検出する検出手段と、前記検出手段により検出された検出結果に基づき、前記消耗品が純正の消耗品であるか否かを判断する判定手段を備え、
前記判定手段により前記消耗品が純正の消耗品であると判断された場合に、前記画像形成装置をＲｅａｄｙ状態に起動することを特徴とする請求項１から５のうちの何れか一項に記載の消耗品販売システム。
【請求項７】
前記情報表示手段は、前記画像形成装置のウォームアップ時に前記表示部に前記消耗品の製品情報と前記消耗品の温室効果ガス排出権購入費用の情報を表示させることを特徴とする請求項１から６のうちの何れか一項に記載の消耗品販売システム。
【請求項８】
データ管理サーバに接続された画像形成装置に用いられる消耗品を販売する消耗品販売方法であって、
前記画像形成装置で現在使用中の消耗品よりも温室効果ガス排出量の少ない消耗品の製品情報と前記消耗品の温室効果ガス排出権購入費用の情報とを前記データ管理サーバから前記画像形成装置に送信する工程と、
前記消耗品の製品情報と前記温室効果ガス排出権購入費用の情報とを前記画像形成装置の表示部に表示させる工程と、
前記表示部に表示された情報に基づき消耗品を選択する工程と、
前記消耗品を選択する工程により選択された選択結果を前記データ管理サーバに通知する工程と、
を備えることを特徴とする消耗品販売方法。
【請求項９】
前記消耗品に備えられた記憶手段または記録手段に格納された情報を検出する工程と、
前記検出する工程により検出された検出結果に基づき、前記消耗品が純正の消耗品であるか否かを判断する工程を備え、
前記消耗品が純正の消耗品であると判断された場合に、前記画像形成装置をＲｅａｄｙ状態に起動する工程を備えることを特徴とする請求項８に記載の消耗品販売方法。
【請求項１０】
前記画像形成装置のウォームアップ時に前記表示部に前記消耗品の製品情報と前記消耗品の温室効果ガス排出権購入費用の情報を表示させる工程を備えることを特徴とする請求項８または９に記載の消耗品販売方法。
【発明の詳細な説明】
【技術分野】
【０００１】
本発明は、消耗品販売システム及び消耗品販売方法に係り、特に、購入またはリースされている画像形成装置に用いられる消耗品を販売する消耗品販売システム及び消耗品販売方法に関する。
【背景技術】
【０００２】
近年、複写機、ファクシミリ、プリンタ等の画像形成装置において、地球環境への配慮から、画像形成装置に用いられる消耗品や交換部品などにおいても、地球環境への負荷を低減したものを使用することが促進されている。
【０００３】
従来技術として、例えば、消耗品や交換部品が着脱可能な印刷装置として、カーボンオフセット付き消耗品（温室効果ガスの排出権が付与された消耗品）又は交換部品であるか否か識別する識別手段と、前記消耗品又は交換部品が前記カーボンオフセット付き消耗品又は交換部品であるとき、カーボンオフセット活動への参加証明書の印刷データを生成する印刷データ生成手段と、前記印刷データに基づいて、参加証明書を印刷する印刷処理手段とを有するものが提案されている（特許文献１を参照。）。
これにより、温室効果ガスの排出権が付与された消耗品や交換部品を使用することによって、その使用証明を自動的に印刷出力し、又はユーザ自らが印刷出力することで、ユーザのカーボンオフセット活動への参加意識を高めることができる印刷装置を提供できる。
【先行技術文献】
【特許文献】
【０００４】
【特許文献１】特開２０１０−１８６２４７号公報
【発明の概要】
【発明が解決しようとする課題】
【０００５】
しかしながら、上述した従来技術による印刷装置によれば、ユーザのカーボンオフセット活動への参加意識を高めることはできるが、現在使用中の消耗品よりさらに温室効果ガスの発生量を抑制でき、且つより安価な温室効果ガス排出権付きの消耗品の情報提供を受けることができない。また、特に対環境意識の高いユーザにとっては、今以上に温室効果ガスの発生を抑制し、且つ排出権購入費用を削減して経費削減したいといったニーズに応えることはできないといった課題がある。
【０００６】
本発明は、上記従来の問題点に鑑みてなされたものであって、画像形成装置に用いる消耗品として、地球環境に優しく、且つ、経費削減に貢献できる消耗品を提供できるとともに、対環境意識の高いユーザに対しても、地球環境への負荷を低減できるといった社会貢献に対する満足感を提供できる消耗品販売システム及び消耗品販売方法を提供することを目的とする。
【課題を解決するための手段】
【０００７】
上述した課題を解決するための本発明に係る消耗品販売システム及び消耗品販売方法は、次の通りである。
【０００８】
本発明は、データ管理サーバに接続された画像形成装置に用いられる消耗品を販売する消耗品販売システムであって、前記画像形成装置で現在使用中の消耗品よりも温室効果ガス排出量の少ない消耗品の製品情報と前記消耗品の温室効果ガス排出権購入費用の情報とを前記データ管理サーバから前記画像形成装置に送信する情報送信手段と、前記消耗品の製品情報と前記温室効果ガス排出権購入費用の情報とを前記画像形成装置の表示部に表示させる情報表示手段と、前記表示部に表示された情報に基づき消耗品を選択するための情報選択手段と、前記消耗品選択手段により選択された選択結果を前記データ管理サーバに通知する選択結果通知手段と、を備えることを特徴とするものである。
【０００９】
また、本発明は、前記消耗品の温室効果ガス排出量を、前記消耗品のライフサイクルにおける温室効果ガス排出量をＣＯ２排出量に換算した値とすることが好ましい。
【００１０】
また、本発明は、前記消耗品の温室効果ガス排出権購入費用を、温室効果ガス排出量の排出削減量、または吸収量の埋め合わせに係る費用とすることが好ましい。
【００１１】
また、本発明は、前記消耗品には、カーボンフットプリントマークが備えられていることが好ましい。
【００１２】
また、本発明は、前記表示部の構成として、タッチパネルまたは操作キーを略一体的に備え、前記情報表示手段として、前記タッチパネルまたは前記操作キーを操作することで前記表示部に前記消耗品の製品情報と前記消耗品の温室効果ガス排出権購入費用の情報を表示させることが好ましい。
【００１３】
また、本発明は、前記消耗品販売システムの構成として、前記消耗品に備えられた記憶手段または記録手段（例えば、ＩＣチップ（無線ＩＣタグや接点式ＣＲＵＭ）、バーコード、またはＱＲコード（登録商標）等）に格納された情報を検出する検出手段と、前記検出手段により検出された検出結果に基づき、前記消耗品が純正の消耗品であるか否かを判断する判定手段を備え、前記判定手段により前記消耗品が純正の消耗品であると判断された場合に、前記画像形成装置をＲｅａｄｙ状態に起動することが好ましい。
【００１４】
また、本発明は、前記情報表示手段の構成として、前記画像形成装置のウォームアップ時に前記表示部に前記消耗品の製品情報と前記消耗品の温室効果ガス排出権購入費用の情報を表示させることが好ましい。
【００１５】
また、本発明は、データ管理サーバに接続された画像形成装置に用いられる消耗品を販売する消耗品販売方法であって、前記画像形成装置で現在使用中の消耗品よりも温室効果ガス排出量の少ない消耗品の製品情報と前記消耗品の温室効果ガス排出権購入費用の情報とを前記データ管理サーバから前記画像形成装置に送信する工程と、前記消耗品の製品情報と前記温室効果ガス排出権購入費用の情報とを前記画像形成装置の表示部に表示させる工程と、前記表示部に表示された情報に基づき消耗品を選択する工程と、前記消耗品を選択する工程により選択された選択結果を前記データ管理サーバに通知する工程と、を備えることを特徴とするものである。
【００１６】
また、本発明は、前記消耗品に備えられた記憶手段または記録手段に格納された情報を検出する工程と、前記検出する工程により検出された検出結果に基づき、前記消耗品が純正の消耗品であるか否かを判断する工程を備え、前記消耗品が純正の消耗品であると判断された場合に、前記画像形成装置をＲｅａｄｙ状態に起動する工程を備えることが好ましい。
また、本発明は、前記画像形成装置のウォームアップ時に前記表示部に前記消耗品の製品情報と前記消耗品の温室効果ガス排出権購入費用の情報を表示させる工程を備えることが好ましい。
【発明の効果】
【００１７】
本発明の消耗品販売システムによれば、データ管理サーバに接続された画像形成装置に用いられる消耗品を販売する消耗品販売システムであって、前記画像形成装置で現在使用中の消耗品よりも温室効果ガス排出量の少ない消耗品の製品情報と前記消耗品の温室効果ガス排出権購入費用の情報とを前記データ管理サーバから前記画像形成装置に送信する情報送信手段と、前記消耗品の製品情報と前記温室効果ガス排出権購入費用の情報とを前記画像形成装置の表示部に表示させる情報表示手段と、前記表示部に表示された情報に基づき消耗品を選択するための消耗品選択手段と、前記消耗品選択手段により選択された選択結果を前記データ管理サーバに通知する選択結果通知手段と、を備えることで、温室効果ガスの発生量が少なく、且つ、温室効果ガス排出権購入費用の安価な消耗品の情報を提供して、地球環境に優しく、且つ、経費削減に貢献できる消耗品を提供できる。また、特に対環境意識の高いユーザに対しても、地球環境への負荷を低減できるといった社会貢献に対する満足感を提供できる。
【００１８】
また、本発明によれば、前記消耗品の温室効果ガス排出量を、前記消耗品のライフサイクルにおける温室効果ガス排出量をＣＯ２排出量に換算した値とすることで、特に対環境意識の高いユーザに対して、ＣＯ２の排出量が少なく、且つ温室効果ガス排出権購入費用の安価な消耗品の情報を提供して、地球環境に優しく、且つ、経費削減に貢献できる消耗品を提供できる。
【００１９】
また、本発明によれば、前記消耗品の温室効果ガス排出権購入費用を、温室効果ガス排出量の排出削減量、または吸収量の埋め合わせに係る費用とすることで、温室効果ガスの発生量自体を削減する発生源削減手段の開発促進事業（再生可能エネルギーに関する発電事業（風力発電、水力発電（農業用水発電や砂防ダム発電、および水路式発電を含む）、潮汐発電、波力発電、太陽光発電、地熱発電、バイオマス発電、振動力発電、圧電素子発電、太陽熱発電））へ資本提供することができ、温室効果ガスの発生自体を抑制できる事業への資本参加、及び排出した温室効果ガスの埋め合わせが可能となる。
【００２０】
また、本発明によれば、前記消耗品には、カーボンフットプリントマークが備えられていることで、ユーザは対環境性能の高い消耗品を購入することができ、ユーザへの対環境意識に応えることができる。また、対環境意識の高いユーザにとっては、消耗品の対環境性能が一目で知ることができるので、該ユーザのニーズに応えることが可能となり、また、消耗品の販売店またはリース店にとっても消耗品の売り上げ向上につながり、販売店を通さずにユーザに直接販売される模造品（模倣品）などの流通を抑制できると伴に、模造品による画像形成装置の故障、例えば、模造品に備えられた記憶手段または記録手段（例えば、ＩＣチップ（無線ＩＣタグや接点式ＣＲＵＭ）、バーコード、またはＱＲコード（登録商標）等）に格納された情報を画像形成装置の検出手段により検出した際、検出手段にエラーが発生して画像形成装置の動作不良、ソフトバグ、通信不良、および模造品トナーによる画質低下や定着不良、記録紙搬送ローラの汚れ等を防止できる。
【００２１】
また、本発明によれば、前記表示部の構成として、タッチパネルまたは操作キーを略一体的に備え、前記情報表示手段として、前記タッチパネルまたは前記操作キーを操作することにより前記表示部に前記消耗品の製品情報と前記消耗品の温室効果ガス排出権購入費用の情報を表示させることで、画像形成装置から直接各情報を簡便に表示させることができ、対環境性能のより向上した消耗品の製品情報と前記消耗品の温室効果ガス排出権購入費用の情報を簡便に入手選択することができるので、消耗品の販売店またはリース店への購入発注が容易になる。
【００２２】
また、本発明によれば、前記消耗品販売システムの構成として、前記消耗品に備えられた記憶手段または記録手段（例えば、ＩＣチップ（無線ＩＣタグや接点式ＣＲＵＭ）、バーコード、またはＱＲコード（登録商標））に格納された情報を検出する検出手段と、前記検出手段により検出された検出結果に基づき、前記消耗品が純正の消耗品であるか否かを判断する判定手段を備え、前記判定手段により前記消耗品が純正の消耗品であると判断された場合に、前記画像形成装置をＲｅａｄｙ状態に起動することで、正規の販売ルートで販売されない非純正消耗品を使用することにより生じる画像形成装置の故障を防止するとともに、販売会社やリース会社の売り上げ向上に貢献できる。
【００２３】
また、本発明によれば、前記情報表示手段の構成として、前記画像形成装置のウォームアップ時に前記表示部に前記消耗品の製品情報と前記消耗品の温室効果ガス排出権購入費用の情報を表示させることで、画像形成装置が他の利用者の邪魔にならず、Ｒｅａｄｙ状態に復帰するまでの時間を有効的に利用することができる。
【００２５】
また、本発明の消耗品販売方法によれば、データ管理サーバに接続された画像形成装置に用いられる消耗品を販売する消耗品販売方法であって、前記画像形成装置で現在使用中の消耗品よりも温室効果ガス排出量の少ない消耗品の製品情報と前記消耗品の温室効果ガス排出権購入費用の情報とを前記データ管理サーバから前記画像形成装置に送信する工程と、前記消耗品の製品情報と前記温室効果ガス排出権購入費用の情報とを前記画像形成装置の表示部に表示させる工程と、前記表示部に表示された情報に基づき消耗品を選択する工程と、前記消耗品を選択する工程により選択された選択結果を前記データ管理サーバに通知する工程と、を備えることで、温室効果ガスの発生量が少なく、且つ、温室効果ガス排出権購入費用の安価な消耗品の情報を提供して、地球環境に優しく、且つ、経費削減に貢献できる消耗品を提供できる。また、特に対環境意識の高いユーザに対しても、地球環境への負荷を低減できるといった社会貢献に対する満足感を提供できる。
【図面の簡単な説明】
【００２６】
【図１】本発明の実施形態に係る画像形成装置の全体の構成を示す説明図である。
【図２】前記画像形成装置の構成を示すブロック図である。
【図３】前記画像形成装置の消耗品販売システムを構成する通信ネットワークの一例を示す説明図である。
【図４】前記画像形成装置の消耗品販売システムを構成する操作パネルの構成を示す説明図である。
【図５】前記操作パネルを構成する表示部に表示されたＤＯＣＵＭＥＮＴ  ＦＩＬＩＮＧ  モードの初期画面を示す説明図である。
【図６】前記表示部に表示された販売店からのお知らせメールのプレビュー表示の一例を示す説明図である。
【図７】前記表示部に表示されたＩＭＡＧＥ  ＳＥＮＤ  モードの初期画面を示す説明図である。
【図８】前記操作パネルの表示部に表示される温室効果ガス排出情報を取得するための選択画面の一例を示す説明図である。
【図９】前記選択画面において構成要素が選択された場合のリスト表示の一例を示す説明図である。
【図１０】前記表示部に表示される前記画像形成装置に用いられる消耗品を選択する選択画面の一例を示す説明図である。
【図１１】前記消耗品の選択が確定した時の表示状態の一例を示す説明図である。
【図１２】前記画像形成装置から販売店に送信される注文画面の一例を示す説明図である。
【図１３】前記画像形成装置の消耗品販売システムにより消耗品を発注する手順を示すフローチャートである。
【発明を実施するための形態】
【００２７】
以下、本発明を実施するための形態について図面を参照して説明する。
図１は発明を実施する形態の一例であって、本発明の実施形態に係る画像形成装置の全体の構成を示す説明図である。
【００２８】
本実施形態は、図１に示すように、データ管理サーバに接続されて電子写真方式によりトナーを用いて画像を形成する画像形成装置１に用いられる消耗品販売システムとして、本発明に係る特徴的な消耗品販売システムしたものである。
【００２９】
まず、画像形成装置１の全体構成について説明する。
画像形成装置１は、外部から伝達される画像データに応じて所定のシート（記録用紙，記録媒体）に画像を形成するものである。画像形成装置１は、図１に示すように、主に、本体装置である電子写真プロセス部（図示省略）を備えた画像形成部３と、操作パネル１００とスキャナユニット（図示省略）を備えた画像読取部２とを備えて構成されている。
【００３０】
原稿画像をスキャナユニットで読み取ることにより得られた画像データは、各種処理が施された後、メモリに一旦記憶され、出力指示に応じてメモリから画像データを画像形成部３に出力して、感光体ドラム（図示省略）上に可視画像として再現した後、用紙上に画像を転写してトナー像を形成する。
【００３１】
画像形成部３に隣接して用紙を供給する給紙部４が構成されている。
給紙部４は、第１〜３カセット３１，３２，３３、さらにオプションとして大容量カセット３４を有している。大容量カセット３４は、最も使用頻度の高い、例えばＡ４サイズの標準紙を大量に収容することができる。
【００３２】
画像読取部２と画像形成部３の間には排紙トレイ５１が形成されている。
画像形成部３に隣接して後処理装置５が構成されている。
後処理装置５には、第１排紙卜レイ５２，第２排紙トレイ５３が設けられている。
【００３３】
そして、画像形成装置１は、図示しないネットワーク回線（ＬＡＮ、電話回線等）を介してＰＣ、ＦＡＸ、及びメーカー、販売先またはリース先等のデータ管理サーバに接続されている。
【００３４】
ここで、画像形成装置１の構成についてブロック図を参照して説明する。
図２は本実施形態の画像形成装置の構成を示すブロック図である。
【００３５】
画像形成装置１は、図２に示すように、電気的構成として、画像形成装置１の動作を制御する制御部５０１、記憶部５０２、演算部５０３、表示部１０１、入力部５０５、ネットワーク回線を介してＰＣ等とＬＡＮ接続等を行う通信部５０６、画像処理を行う画像処理部５０８、画像形成を行う画像形成部５０９、トナー像の定着処理を行う定着部５１０、スキャナにおいて画像の読み取りを行う読取部５０７、後処理装置５（図２の周辺機器を指す）の動作を制御する制御部５１１などを備えている。
【００３６】
なお、本実施形態では、画像形成装置１に用いられる消耗品には、記憶手段または記録手段として、ＩＣチップ（無線ＩＣタグや接点式ＣＲＵＭ）、バーコード、ＱＲコード（登録商標）等が備えられている。
【００３７】
そして、画像形成装置１は、この消耗品の記憶手段または記録手段に格納された情報を検出する検出部（検出手段）５０９ａを備えている。
【００３８】
検出部５０９ａは、ユーザが購入した消耗品が純正消耗品であるか否かを検出する。
演算部５０３は、検出部５０９ａにより検出された検出値（検出結果）と、記憶部５０２に記憶された純正消耗品（図示省略）であることのデータとを照合演算する。
【００３９】
制御部５０１は、演算部５０３による演算結果に基づき、検出部５０９ａにより検出された消耗品が純正消耗品であるか否かを判断する機能を備えている。
【００４０】
本実施形態では、制御部５０１は、検出部５０９ａにより検出された消耗品が純正消耗品であった場合には、純正消耗品の製品情報や消耗品の温室効果ガス排出権購入費用の情報を取得できるようにされるとともに、画像形成装置１をＲｅａｄｙ状態に起動するようにされている。
【００４１】
次に、本実施形態の画像形成装置１に用いられる特徴的な消耗品販売システムについて図面を参照して説明する。
図３は本実施形態の画像形成装置の消耗品販売システムを構成する通信ネットワークの一例を示す説明図、図４は本実施形態に係る画像形成装置の消耗品販売システムを構成する操作パネルの構成を示す説明図、図５は前記操作パネルを構成する表示部に表示されたＤＯＣＵＭＥＮＴ  ＦＩＬＩＮＧ  モードの初期画面を示す説明図、図６は前記表示部に表示された販売店からのお知らせメールのプレビュー表示の一例を示す説明図、図７は前記表示部に表示されたＩＭＡＧＥ  ＳＥＮＤ  モードの初期画面を示す説明図である。
【００４２】
本実施形態に係る画像形成装置１の消耗品販売システムは、図３に示すように、通信部５０６によりＬＡＮ（ローカルエリアネットワーク）７００を介してメーカー、販売先またはリース先等のデータ管理サーバ７０１に接続された画像形成装置１に用いられる消耗品を販売する消耗品販売システムであって、データ管理サーバ７０１を管理する事業者が、ユーザの操作により画像形成装置１の操作パネル１００上で選択された消耗品を販売するシステムである。
【００４３】
この消耗品販売システムは、データ管理サーバ７０１側に、画像形成装置１で現在使用中の消耗品の温室効果ガス排出量より少ない温室効果ガス排出量の消耗品の製品情報と該消耗品の温室効果ガス排出権購入費用の情報とを画像形成装置１が接続されるデータ管理サーバから画像形成装置１に送信する機能（情報送信手段）と、前記消耗品の製品情報と温室効果ガス排出権購入費用の情報とを画像形成装置１の操作パネル１００の表示部１０１に表示させる機能（情報表示手段）とを備え、画像形成装置１側に、表示部１０１に表示された情報に基づき消耗品を選択するための機能（消耗品選択手段）と、前記消耗品選択手段により選択された選択結果をデータ管理サーバ７０１に通知する機能（選択結果通知手段）とを備えている。
【００４４】
本実施形態では、操作パネル１００の表示部１０１が、消耗品販売システムの表示部として機能するように構成されている。
【００４５】
操作パネル１００は、図４に示すように、操作面（入力部）１００ａが略平面状に構成されて、その略中央部に表示部１０１が構成されている。
なお、表示部１０１は、操作面（入力部）１００ａと同一平面でなくとも、操作面（入力部）１００ａに対して開閉移動式であってもよいし、操作面（入力部）１００ａとは別に設けてもよい。また、それらを組み合わせてもよい。
【００４６】
表示部１０１には、図５，図７に示すように、画像形成装置１による処理モードを選択する操作キー１１０が表示されている。操作キー１１０には、ＤＯＣＵＭＥＮＴ  ＦＩＬＩＮＧ  モード用のアイコン１１１ａ、ＩＭＡＧＥ  ＳＥＮＤ  モード用のアイコン１１１ｂ、ＣＯＰＹ  モード用のアイコン１１１ｃが設けられている。そして、操作キー１１０により、ＣＯＰＹ  モード、ＩＭＡＧＥ  ＳＥＮＤ  モード、ＤＯＣＵＭＥＮＴ  ＦＩＬＩＮＧ  モードが選択可能になっている。
【００４７】
表示部１０１は、画像形成装置１の電源をＯＮにすると、図示しない初期画面が表示され、操作キー１１０のうちのＤＯＣＵＭＥＮＴ  ＦＩＬＩＮＧ  モード用のアイコン１１１ａが選択されると、図５に示すように、ＤＯＣＵＭＥＮＴ  ＦＩＬＩＮＧ  モードの初期画面１１０ａが表示される。
【００４８】
ＤＯＣＵＭＥＮＴ  ＦＩＬＩＮＧ  モードの初期画面１１０ａの画面左下には、操作キーとしてのプレビュー確認用アイコン１２０ａが表示される。プレビュー確認用アイコン１２０ａをタッチすると、画像形成装置１が受信したメール等の情報を表示部１０１に表示するようにされている。
【００４９】
本実施形態では、画像形成装置１に新規メールが受信されると、ＤＯＣＵＭＥＮＴ  ＦＩＬＩＮＧ  モード用のアイコン１１１ａが点滅するようにされている。そして、プレビュー確認用アイコン１２０ａが選択されると、図６に示すように、例えば、販売店からのお知らせメールのプレビュー画面１０１ａが表示部１０１に表示される。
【００５０】
また、操作キー１１０のうちのＩＭＡＧＥ  ＳＥＮＤ  モード用のアイコン１１１ｂが選択されると、図７に示すように、ＩＭＡＧＥ  ＳＥＮＤ  モードの初期画面１１０ｂが表示される。
【００５１】
ＩＭＡＧＥ  ＳＥＮＤ  モードの初期画面１１０ｂの画面左下には、操作キーとしてのＥｃｏｖｉｅｗアイコン１２０ｂが表示される。Ｅｃｏｖｉｅｗアイコン１２０ｂをタッチすると、表示部１０１には、使用している画像形成装置１に関する温室効果ガス排出情報を取得するための選択画面が表示される。
画像形成装置１に関する情報には、画像形成装置１に用いられる消耗品の情報を含む。
本実施形態において、消耗品は温室効果ガス排出権付き消耗品とする。
【００５２】
また、操作パネル１００は、リスト表示とサムネイル表示とを切り替えるアイコン（図示省略）と、ＩＭＡＧＥ  ＳＥＮＤ  モードの初期画面１１０ｂに戻すためのアイコン（図示省略）を備えている。
【００５３】
また、本実施形態では、表示部１０１に表示される選択画面は、例えば、タッチパネルを用いて画面上に表示されたリスト表示やサムネイル表示をタッチすることで、それぞれのリスト表示やサムネイル表示の情報に基づく消耗品を選択する消耗品選択手段として機能するように構成されている。すなわち、選択画面が消耗品選択手段として機能する。
【００５４】
また、本実施形態では、データ管理サーバ７０１側の図示しない制御部が、ネットワーク回線を介してデータ管理サーバ７０１側から消耗品の製品情報（消耗品の対環境性能情報を含む）と温室効果ガス排出情報（温室効果ガス排出権購入費用の情報を含む）を送信する情報送信手段として機能するように構成されるとともに、消耗品の製品情報と温室効果ガス排出情報とを画像形成装置１の表示部１０１に表示させる情報表示手段として機能するように構成されている。
【００５５】
次に、本実施形態の操作パネル１００の表示部１０１に表示される表示画面について、図面を参照して説明する。
図８は本実施形態の画像形成装置の操作パネルの表示部に表示される温室効果ガス排出情報を取得するための選択画面の一例を示す説明図、図９は前記選択画面において構成要素が選択された場合のリスト表示の一例を示す説明図、図１０は前記表示部に表示される前記画像形成装置に用いられる消耗品を選択する選択画面の一例を示す説明図、図１１は前記消耗品の選択が確定した時の表示状態の一例を示す説明図、図１２は前記画像形成装置から販売店に送信される注文画面の一例を示す説明図である。
【００５６】
本実施形態では、図７に示すように、画像形成装置１の操作パネル１００の表示部１０１に表示されたＩＭＡＧＥ  ＳＥＮＤ  モードの初期画面１１０ｂにおいて、Ｅｃｏｖｉｅｗアイコン１２０ｂをタッチすると、表示部１０１には、まず、図８に示すように、温室効果ガス排出情報を取得するための温室効果ガス排出情報選択画面１０１ｂが表示される。
【００５７】
温室効果ガス排出情報選択画面１０１ｂには、画像表示および選択スイッチのサムネイルとして、現在使用している画像形成装置１の外観表示１１１、戻りアイコン１１２、送信アイコン１１３、画像形成装置本体選択アイコン１１４、ドキュメントフィーダー選択アイコン１１５、大容量給紙装置選択アイコン１１６、ソーター選択アイコン１１７、消耗品選択アイコン１１８、「全て」を選択するアイコン１１９が表示される。
【００５８】
温室効果ガス排出情報選択画面１０１ｂにおいて、図９に示すように、消耗品選択アイコン１１８をタッチすると、消耗品選択アイコン１１８の背景が黄色に変わり、選択されたことが目視可能に表示される。そして、送信アイコン１１３をタッチすることで、その選択結果がデータ管理サーバ７０１に送信される。
【００５９】
そして、図１０に示すように、現在使用中の消耗品と前記消耗品よりも温室効果ガス排出量の少ない消耗品の製品情報の一覧をリスト表示したものと、それぞれの消耗品の環境エコラベル情報をサムネイル表示したものとが同時に表示される消耗品選択画面１０１ｃが表示される。
【００６０】
具体的には、消耗品選択画面１０１ｃには、図１０に示すように、画像形成装置１に使用されている消耗品と前記消耗品よりも温室効果ガス排出量の少ない消耗品の製品情報がリスト表示されるとともに、それぞれの消耗品が取得、認定、または検証された環境エコラベル情報がサムネイル表示されている。画面上の下部には、戻りアイコン１２１、次画面切換アイコン（選択用）１２２が表示される。
【００６１】
本実施形態では、現在使用中の消耗品一覧のリスト表示として、トナーカートリッジ等が表示される。例えば、製品情報として、黒色トナーカートリッジ２０１、イエロー色トナーカートリッジ２０２、マゼンタ色トナーカートリッジ２０３、シアン色トナーカートリッジ２０４、透明トナーカートリッジ２０５・・・が表示されている。
尚、上記トナー色のトナーカートリッジ以外にも、例えばシアンおよびマゼンタと同一の色相で濃度がより薄い特性をもつライトシアン（ＬＣ）トナーおよびライトマゼンタ（ＬＭ）トナーのトナーカートリッジを表示させてもよい。
【００６２】
また、現在使用中の消耗品よりも温室効果ガス排出量の少ない消耗品一覧のリスト表示として、黒色トナーカートリッジ３０１、イエロー色トナーカートリッジ３０２、マゼンタ色トナーカートリッジ３０３、シアン色トナーカートリッジ３０４、透明トナーカートリッジ３０５・・・が表示されている。
【００６３】
そして、それぞれの消耗品の製品情報に対応して、該消耗品が取得、認定、または検証された環境エコラベル情報として、カーボンフットプリントラベルのサムネイル２１０，３１０、およびカーボン排出量増減比３２０などが表示されている。
【００６４】
カーボンフットプリントラベルは、商品及びサービスの原材料調達から廃棄・リサイクルに至るライフサイクル全体を通しての環境負荷を定量的に算定するＬＣＡ（ライフサイクルアセスメント）手法を活用し、ライフサイクル全体における温室効果ガス排出量をＣＯ２に換算し表示するものである。
【００６５】
そして、温室効果ガス排出情報選択画面１０１ｂに表示されたそれぞれの選択アイコンや、消耗品選択画面１０１ｃに表示されたそれぞれの消耗品の製品情報のリスト表示や環境エコラベル情報のサムネイル表示は、例えばタッチパネルを用いて画面上でタッチすることでそれぞれの情報に基づく装置や消耗品を選択する選択手段（消耗品選択手段）として機能するように構成されている。
【００６６】
消耗品選択画面１０１ｃにおいて、例えば、消耗品として黒色トナーカートリッジ３０１を選択する場合、画面上に表示されている製品情報（黒色トナーカートリッジ３０１）、または、そのカートリッジが取得、認定、または検証されたカーボンフットプリントラベルのサムネイル３１０、カーボン排出量増減比３２０などをユーザがタッチすることで、ユーザが所望する黒色トナーカートリッジ３０１が選択される。
【００６７】
消耗品の選択が終了した後、次画面切換アイコン（選択用）１２２をタッチすることで、表示部１０１には、図１１に示すように、例えば、黒色カートリッジ３０１の製品情報およびその黒色トナーカートリッジ３０１の環境エコラベル情報のサムネイルが表示される情報表示エリア１０１ｃ１の色が変化して（または、明るく点灯表示して）、黒色トナーカートリッジ３０１が選択されたことが明示される。画面上の下部には、次画面切換アイコン（注文用）１２３、戻りアイコン１２１が表示される。
【００６８】
なお、選択したトナーカートリッジと選択されなかったトナーカートリッジとの表示変化は、上述した態様に限定せず、例えば、選択したカートリッジのリスト表示やサムネイル表示を目立たない色に変化させたり、色調や文字図形の大きさを変化させるようにしてもよい。また、その他の例として、表示部１０１の所定の位置に選択したトナーカートリッジの型番を表示する領域を設定して、その領域に選択したトナーカートリッジの型番を表示するようにしてもよい。また、上述したトナーカートリッジ選択操作を引き続いて行うことができるようにしてもよい。
【００６９】
図１１に示す消耗品選択画面１０１ｃにおいて、次画面切換アイコン（注文用）１２３がタッチされると、表示部１０１には、図１２に示すように、注文画面１０１ｄが表示される。この注文画面１０１ｄに基づき、メーカーや販売店に確定内容が通知される。
【００７０】
具体的には、注文画面１０１ｄには、図１２に示すように、メーカーや販売店に消耗品を注文する注文書のプレビュー画像５２１、注文書を確定する確定アイコン５２２、注文書を送信（通知）する送信アイコン５２３、前画面に戻る戻りアイコン５２４、ＩＭＡＧＥ  ＳＥＮＤ  モードの画面に戻る戻りアイコン５２５、初期画面に戻る戻りアイコン５２６が表示される。
【００７１】
本実施形態によれば、操作パネル１００の表示部１０１にトナーカートリッジの製品情報とともに温室効果ガス排出情報や環境エコラベル情報を表示して、その表示された情報に基づき画面上でユーザが所望するトナーカートリッジを対環境性能を考慮した上で選択することができる。
【００７２】
すなわち、対環境意識の高いユーザは、例えば、自身の関係する使用・維持管理に関わるＣＯ２排出量換算値を、図１０，図１１に示すように、表示部１０１に表示されるそれぞれのトナーカートリッジに対応したカーボンフットプリントラベルの表示内容より容易に知ることができる。
【００７３】
なお、図１０，図１１中に示すカーボンフットプリントラベルのマーク中に表示している重量（ｋｇ）は、それぞれのトナーカートリッジのライフサイクル段階における原材料調達から廃棄・リサイクルまでのＣＯ２排出量換算値の合計量を示している。
【００７４】
また、本実施形態の場合は、トナーカートリッジの型番に対応してカーボンフットプリントラベルにＣＯ２排出量の値が記載されているので、それぞれのトナーカートリッジのＣＯ２排出量を確認してユーザにとって最適なトナーカートリッジを選択することができ、延いては、地球温暖化防止に貢献できるといった満足感を得ることができる。
【００７５】
また、画像形成装置１の消耗品の販売店により、ライフサイクル段階における原材料調達から廃棄・リサイクルまでのＣＯ２排出量換算値がより少ないトナーカートリッジを推奨することを試みて、結果、販売店にとってもトナーカートリッジの販売促進につながる。
【００７６】
ここで、トナーカートリッジのライフサイクルにおける情報とは、トナーカートリッジの原材料調達段階に始まり、生産段階、流通段階、使用・維持管理段階、廃棄・リサイクル段階の間に排出する温室効果ガスの種類と排出量の情報である。
【００７７】
温室効果ガスの種類には、京都議定書で対象となったＣＯ２、ＣＨ４、Ｎ２Ｏ、ＨＦＣｓ、ＰＦＣｓ、ＳＦ６の６種類があるが、ＣＯ２に換算した値がラベルに記録されるので、Ｅｃｏｖｉｅｗサムネイル表示にはトナーカートリッジのＣＯ２換算値が表示される。
ＣＯ２排出量は、ＬＣＡ（ライフサイクルアセスメント）手法を活用して、下記一般式（Ｉ）で算定される。
【００７８】
ＣＯ２排出量＝Σ（活動量ｉ×ＣＯ２排出原単位）・・・（Ｉ）
ｉは上述した原材料調達から廃棄・リサイクルまでの活動量（プロセス）である。
ライフサイクルの各段階と活動量（プロセス）の例とを（１）から（５）に示す。
（１）原材料調達段階の活動量は、素材使用量である。
（２）生産段階の活動量は、組立て重量および生産時の電力消費量である。
（３）流通段階の活動量は、輸送量（輸送距離と積載率とトラックの積載量との積）である。
（４）使用・維持管理段階の活動量は、使用時の電力消費量である。
（５）廃棄・リサイクル段階の活動量は、埋立重量とリサイクル重量である。
なお、ＣＯ２排出量の単位は（ｋｇ）である。
従って、ラベルには、ＣＯ２の文字とＣＯ２排出量（ｋｇ）との情報が記載される。
また、ＣＯ２排出量の単位は、（ｋｇ）以外にも（ｇ）や（ｔ）といった重量を表す単位でもよい。
【００７９】
なお、トナーカートリッジのライフサイクルにおける情報以外にも様々なエコラベルの情報を表示することができる。法定マークや自主マーク等の何れであってもよい。また、時代の趨勢に添った新しい環境基準が制定された場合であっても、同様に表示することができる。
【００８０】
さらには、国や地域が異なれば取得する環境ラベルや認定される環境ラベルも異なるが、何れにおいても本発明を適応することができる。
【００８１】
次に、本実施形態の画像形成装置１に用いられる消耗品販売システムによりユーザが消耗品としてトナーカートリッジを発注する場合について説明する。
【００８２】
本実施形態において、画像形成装置１の全体制御は、図２に示すように、制御部５０１により行なわれる。また、画像形成装置１に用いられるトナーカートリッジの製品情報、温室効果ガス排出情報およびトナーカートリッジの環境対応取得情報であるエコラベル情報は、記憶部５０２に記憶されている。記憶部５０２は、ＨＤＤ装置であってもよく、Ｂｌｕ−ｒａｙディスク装置、ＲＯＭやＲＡＭ、またはＵＳＢメモリ、メモリカードのメモリであってもよい。
【００８３】
また、トナーカートリッジの温室効果ガス排出情報およびエコラベル情報は、例えば、通信部５０６におけるＬＡＮ接続によりネットワークを介してトナーカートリッジの環境エコラベル情報を持つメーカー、販売店、リース会社またはクラウドプロバイダーなどのウエブサイトにアクセスして入手することもできる。
【００８４】
例えば、図３に示すように、複数のユーザＡ，Ｂ，Ｃは、それぞれの端末機である画像形成装置１の通信部５０６によりＬＡＮ（ローカルエリアネットワーク）７００を介して販売店やリース会社などのデータ管理サーバ７０１にアクセスしたり、通信衛星７１１を利用した衛星通信インフラ７１０を介してアクセスすることが可能である。
【００８５】
ＬＡＮ（ローカルエリアネットワーク）７００としては、有線の場合は、イーサネットIEEE規格の１０ＢＡＳＥ−Ｔ、１００ＢＡＳＥ−ＴＸ、１０ＧＢＡＳＥ−Ｔ等や、それらの光マルチモードの１０ＢＡＳＥ−Ｆ、１００ＢＡＳＥ−Ｆ、１０００ＢＡＳＥ−Ｘ、１０ＧＢＡＳＥ−Ｒ、１０ＧＢＡＳＥ−Ｗ、１０ＧＢＡＳＥ−Ｘ、無線の場合は、ＷｉＭＡＸのIEEE 802.16（ブロードバンド無線規格）、IEEE 802.16a（固定無線通信の標準規格、IEEE 802.16規格の使用周波数帯を変更したもの）、IEEE 802.16-2004（固定区間に用いられる方式、別名IEEE 802.16a/REVd）、ＷＡＮ、そして、クラウドコンピューティングサービス（専用事業者：クラウドプロバイダー）も利用できる。
【００８６】
次に、画像形成装置１の消耗品販売システムにより消耗品を発注する操作手順をフローチャートに沿って説明する。
図１３は本実施形態の画像形成装置の消耗品販売システムにより消耗品を発注する手順を示すフローチャートである。
【００８７】
画像形成装置１の電源をＯＮにして消耗品販売システムにより消耗品の選択操作が開始されると、まず、画像形成装置１において、現在使用中の消耗品が検出部５０９ａにより検出される。そして、制御部５０１において、検出された使用中の消耗品の検出値と記憶部５０２に記憶された純正消耗品であることのデータとを演算部５０３が照合演算して、その演算結果に基づき、その消耗品が純正消耗品であるか否かが判断される。
【００８８】
本実施形態では、消耗品には図示しないＩＣチップ（無線ＩＣタグや接点式ＣＲＵＭ）、バーコード、ＱＲコード（登録商標）等が備えられ、それらを検出部５０９ａにより検出するようになっている。
【００８９】
検出部５０９ａにより検出された使用中の消耗品の検出値と純正消耗品であることのデータとが一致した場合は、制御部５０１が画像形成装置１をＲｅａｄｙ状態へ起動する。
一方、使用中の消耗品が純正消耗品でない場合は、非純正消耗品であることを表示部１０１に表示する。
【００９０】
なお、販売店側のデータ管理サーバ７０１とユーザ側の画像形成装置１とは常時ＬＡＮ７００で接続され、販売店はユーザの画像形成装置１の状態を管理できるようになっている。即ち、販売店は、画像形成装置１には現在どのような消耗品が使用されているか、消耗品の使用状況、画像形成装置１の不具合、画像形成装置１のメンテナンス時期等を監視できる。
【００９１】
使用中の消耗品が純正消耗品であった場合は、画像形成装置１は正規に起動して、販売店は、画像形成装置１がＲｅａｄｙ状態になる間に、データ管理サーバ７０１からお知らせメールを画像形成装置１に送信して、操作パネル１００の表示部１０１に表示するように画像形成装置１をリモートコントロールする。
【００９２】
以下、消耗品販売システムにより消耗品を発注する手順を、図１３に示すフローチャートに沿って説明する。
【００９３】
画像形成装置１は、データ管理サーバ７０１からのお知らせメールを受信すると（ステップＳ１）、表示部１０１に表示された操作キー１１０のうちのＤＯＣＵＭＥＮＴ  ＦＩＬＩＮＧ  モード用のアイコン１１１ａを点滅させる。これにより、ユーザは、販売店からのお知らせメールなどの情報メール（新着メール）を受信した旨を知ることができる。
【００９４】
そして、ユーザが表示部１０１に表示されたＤＯＣＵＭＥＮＴ  ＦＩＬＩＮＧ  モード用のアイコン１１１ａを選択すると、ＤＯＣＵＭＥＮＴ  ＦＩＬＩＮＧ  モードが実行されて、図５に示すように、表示部１０１にＤＯＣＵＭＥＮＴ  ＦＩＬＩＮＧ  モードの初期画面１１０ａが表示される。そして、ＤＯＣＵＭＥＮＴ  ＦＩＬＩＮＧ  モードの初期画面１１０ａ上のプレビュー確認用アイコン１２０ａを選択することで、図６に示すように、表示部１０１に販売店からのお知らせメールがプレビュー表示されて、お知らせメールの内容を確認することができる（ステップＳ２）。
【００９５】
お知らせメールの内容を確認した後、ＤＯＣＵＭＥＮＴ  ＦＩＬＩＮＧ  モードの初期画面１１０ａに戻る（ステップＳ３）。
【００９６】
そして、ユーザがお知らせメールに相当する情報（消耗品の製品情報や温室効果ガス排気情報（ＣＯ２排出量換算値、排出権購入費用））を入手する場合は、ＤＯＣＵＭＥＮＴ  ＦＩＬＩＮＧ  モードの初期画面１１０ａに表示された操作キー１１０のうちのＩＭＡＧＥ  ＳＥＮＤ  モード用のアイコン１１１ａを選択してＩＭＡＧＥ  ＳＥＮＤ  モードに移行する（ステップＳ４）。このとき、表示部１０１には、図７に示すように、ＩＭＡＧＥ  ＳＥＮＤ  モードの初期画面１１０ｂが表示される。
【００９７】
なお、画像形成装置１で使用中の消耗品が純正消耗品ではなかった場合は、画像形成装置１は起動するが、表示部１０１にはＩＭＡＧＥ  ＳＥＮＤ  モードの初期画面１１０ｂが表示されず、以下に説明する消耗品の温室効果ガス排気情報や消耗品の排出権に関わる情報等は入手できないように設定されている。
【００９８】
ＩＭＡＧＥ  ＳＥＮＤ  モードにおいて、表示部１０１に表示される初期画面１１０ｂの左下にはＥｃｏｖｉｅｗアイコン１２０ｂが表示される。そして、Ｅｃｏｖｉｅｗアイコン１２０ｂがタッチされたか否かが判断される（ステップＳ５）。
【００９９】
ステップＳ５において、Ｅｃｏｖｉｅｗアイコン１２０ｂがタッチされていないと判断された場合は、ステップＳ６に進み、初期画面１１０ｂに戻るか否かが判断される。ステップＳ６において、初期画面１１０ｂに戻ると判断された場合は、初期画面１１０ｂに戻って処理が終了する。また、ステップＳ６において、初期画面１１０ｂに戻らないと判断された場合は、再びステップＳ５に戻る。
【０１００】
一方、ステップＳ５において、Ｅｃｏｖｉｅｗアイコン１２０ｂがタッチされたと判断された場合は、図８に示すように、表示部１０１に温室効果ガス排出情報選択画面１０１ｂが表示される。そして、温室効果ガス排出情報選択画面１０１ｂにおいて、温室効果ガス排気情報を取得する対象物を選択する。ここでは消耗品を選択する消耗品選択アイコン１１８を選択する（ステップＳ７）。
【０１０１】
そして、消耗品の製品情報や温室効果ガス排気情報（ＣＯ２排出量換算値、排出権購入費用）を入手するか否かが判断される（ステップＳ８）。
【０１０２】
ステップＳ８において、消耗品の製品情報や温室効果ガス排気情報を入手しないと判断された場合は、ステップＳ６に進み、初期画面１１０ｂに戻るか否かが判断される。ステップＳ６において、初期画面１１０ｂに戻ると判断された場合は、初期画面１１０ｂに戻って処理が終了する。また、ステップＳ６において、初期画面１１０ｂに戻らないと判断された場合は、再びステップＳ５に戻る。
【０１０３】
一方、ステップＳ８において、消耗品の製品情報や温室効果ガス排気情報を入手すると判断された場合は、通信部５０６におけるＬＡＮ接続によりネットワークを介して画像形成装置１の情報を持つメーカーや販売会社、販売代理店、リース会社、クラウドプロバイダー等のウエブサイトにアクセスして消耗品の製品情報や温室効果ガス排気情報を入手する。
【０１０４】
画像形成装置１における消耗品の選択結果が、ＬＡＮ７００を経由して販売店のデータ管理サーバ７０１に選択結果が送信されると、販売店のデータ管理サーバ７０１は、ユーザからの送信データを解析して自動的に選択された消耗品の製品情報や温室効果ガス排気情報、および消耗品を注文する注文画面のプレビュー画面を生成するプログラム等を返信する。
【０１０５】
そして、入手した消耗品の製品情報、温室効果ガス排出情報および消耗品環境情報を一旦記憶部５０２に格納した後に、それらの情報を表示部１０１に表示する（ステップＳ９）。表示部１０１には、図１０に示すように、消耗品選択画面１０１ｃが表示される。
【０１０６】
なお、画像形成装置１のメーカーや販売会社、販売代理店、リース会社等のメールアドレスは、予め画像形成装置１に登録されており、消耗品の製品情報、消耗品環境情報及び排出権情報を入手することを選択することで自動的に上記メールアドレス宛に送信される。
【０１０７】
また、メーカーや販売会社、販売代理店、リース会社等へ送信されるメールには、自動的に画像形成装置１本体の名称、型番等が添付されており、送信されたメールを受信した販売会社等は、画像形成装置１の名称、型番等の情報に基づき、消耗品の製品情報、温室効果ガス排出情報および消耗品環境情報をユーザへ送信するようにしてもよい。これは手動で送信してもよく、また、自動で送信できるように設定されていてもよい。
【０１０８】
画像形成装置１において、消耗品の製品情報や温室効果ガス排気情報などを一旦記憶部５０２に記憶する理由は、消耗品の製品情報や温室効果ガス排気情報を再三要求せずとも記憶部５０２から読み込むだけで、それらの情報に基づき消耗品を選択発注することができるので、通信費用が削減できるといったメリットがある。
【０１０９】
なお、温室効果ガス排出情報選択画面１０１ｂに表示された装置や消耗品などの情報（データ）は、予め記憶部５０２に記憶されていても良い。
【０１１０】
消耗品選択画面１０１ｃには、現在使用中の消耗品と前記消耗品よりも温室効果ガス排出量の少ない消耗品の製品情報の一覧をリスト表示したものと、それぞれの消耗品の環境エコラベル情報をサムネイル表示したものとが同時に表示される（ステップＳ１０）。
これにより、ユーザは現在使用中の消耗品一覧と温室効果ガス削減消耗品一覧の情報を同時に閲覧することができる。
【０１１１】
本実施形態では、ユーザは、使用頻度の最も多い（購入回数が多い）黒色トナーカートリッジに着目し、図１０に示すように、現在使用中の消耗品一覧から黒色トナーカートリッジ２０１の温室効果ガスＣＯ２排出量換算値（５．０ｋｇ）と、販売価格税込み５，０００円（内２０％は排出権費）に注目して排出権費に１，０００円を支出していることを知る。
【０１１２】
また、温室効果ガス削減消耗品一覧から黒色トナーカートリッジ３０１の温室効果ガスＣＯ２排出量換算値（４．０ｋｇ）で現在より２０％ＣＯ２排出量が減らせることを知り、且つ販売価格税込み４，０００円（内２０％は排出権費）に注目して排出権費が８００円であることを知る。
【０１１３】
これにより、対環境意識が高く、且つ経費削減を希望しているユーザは、温室効果ガス削減消耗品一覧の黒色トナーカートリッジ３０１のアイコンを選択して、次画面切換アイコン（選択用）１２２を選択すると、図１１に示すように、黒色トナーカートリッジ３０１のアイコン文字の背景が黄色に変わり（または、明るく点灯表示して）、黒色カートリッジ３０１が選択された旨が明示される。そして、注文する消耗品として黒色カートリッジ３０１を選択したことを確定する（ステップＳ１１）。
【０１１４】
そして、そのまま注文する場合は、消耗品が確定された消耗品選択画面１０１ｃ上の次画面切換アイコン（注文用）１２３を選択する。表示部１０１には、図１２に示すように、注文書がプレビュー表示された注文画面１０１ｄが表示される。この注文画面１０１ｄにより注文内容を確認することできる。（ステップＳ１２）。
【０１１５】
そして、注文画面１０１ｄにおいて消耗品を注文するか否かが判断される（ステップＳ１３）。ステップＳ１３において、消耗品を注文しないと判断された場合は、ステップＳ１９に進み、ＩＭＡＧＥ  ＳＥＮＤ  モードに移行して、表示部１０１にＩＭＡＧＥ  ＳＥＮＤ  モードの初期画面１１０ｂを表示して（ステップＳ２０）、消耗品販売システムの処理は終了する。
【０１１６】
一方、ステップＳ１３において、消耗品を注文すると判断された場合は、ユーザは、注文書プレビュー画面を確認して、注文書を確定するアイコン５２２と注文書を送信するアイコン５２３とを選択する。選択された消耗品の注文書は、画像形成装置１の通信部５０６によりＬＡＮ７００を介してトナーカートリッジのメーカーや販売会社、販売代理店、リース会社等（ここでは、販売店とする。）のデータ管理サーバ７０１に送信される（ステップＳ１４）。送信手段として、ＦＡＸを用いてもよい。これで依頼書の送信は完了する。
【０１１７】
販売店は、注文書を受信したら（ステップＳ１６）、ユーザに対して注文書を受信した旨のメールを返信する。この返信文書は、ユーザの画像形成装置に送られ、ユーザは返信文書を新着メールと同様にして確認できる。
【０１１８】
そして、販売店において消耗品の注文書が受信された後、販売店から送信された納品予定書（図示省略）を受信する（ステップＳ１６）。
【０１１９】
そして、消耗品の注文を継続して行うか否かが判断される（ステップＳ１７）。
ステップＳ１７において、注文を継続して行わないと判断された場合は、消耗品を注文する処理は終了する。
【０１２０】
一方、ステップＳ１７において、消耗品の注文を継続して行うと判断された場合は、引き続き注文したい消耗品を選択して確定する処理が行なわれる（ステップＳ１８）。そして、ステップＳ１９に進み、ＩＭＡＧＥ  ＳＥＮＤ  モードに移行して、表示部１０１にＩＭＡＧＥ  ＳＥＮＤ  モードの初期画面１１０ｂを表示して（ステップＳ２０）、消耗品販売システムにおける発注処理は終了する。
【０１２１】
なお、上記発注処理は、画像形成装置のウォームアップから印刷可能なＲｅａｄｙ状態になるまでの間に行ってもよいし、印刷ＪＯＢの合間に行ってもよい。また、入力部５０５に入力信号がない場合、即ちユーザが入力操作をしていない間に行ってもよい。いずれの間に消耗品の発注処理を行うことで、例えば、他のユーザが画像形成装置を使用する際の邪魔にはならないという効果を奏する。
【０１２２】
以上のように構成したので、本実施形態によれば、画像形成装置１に用いられる消耗品を販売する消耗品販売システムの構成として、操作パネル１００の表示部１０１を、消耗品販売システムの表示部として機能するように構成し、画像形成装置１に接続されるデータ管理サーバ７０１を、画像形成装置１で現在使用中の消耗品よりも温室効果ガス排出量の少ない消耗品の製品情報と温室効果ガス排出情報とをデータ管理サーバ７０１から画像形成装置１に送信する情報送信手段として機能するとともに、前記消耗品の製品情報と温室効果ガス排出情報とを画像形成装置１の表示部１０１に表示させる情報表示手段として機能するように構成し、さらに、表示部１０１に表示された情報（消耗品の製品情報や温室効果ガス排出情報）に基づき消耗品を選択するための消耗品選択手段として機能する消耗品選択画面１０１ｃを備え、画像形成装置１における通信部５０６を、消耗品選択画面１０１ｃおいて選択された選択結果をデータ管理サーバ７０１に通知する選択結果通知手段として機能するように構成することで、温室効果ガスの発生量が少なく、且つ、温室効果ガス排出権購入費用の安価な消耗品の情報を提供して、地球環境に優しく、且つ、経費削減に貢献できる消耗品を提供できる。また、特に対環境意識の高いユーザに対しても、地球環境への負荷を低減できるといった社会貢献に対する満足感を提供できる。
【０１２３】
また、本実施形態では、消耗品を販売店に発注する際に、販売店に発注書を送信するとともに、その発注書を販売店が受信した旨の返信を受信した時に、販売店から消耗品の納品予定書を送信して、その納品予定書を画像形成装置１が受信するようにしたので、販売店への発注を確認することができる。
【０１２４】
また、本実施形態では、消耗品の対環境性能情報（カーボンフットプリントラベル）を入手して表示するようにしたので、対環境意識の高いユーザに対しても、地球環境への負荷を低減できる消耗品であることを知らせることができる。
【０１２５】
また、消耗品の梱包材にも対環境性能情報（カーボンフットプリントラベル）を表示させてもよいし、消耗品や消耗品の梱包材に対環境性能情報（カーボンフットプリントラベル）の説明文を表示させてもよい。これにより、カーボンフットプリントラベルが何を示すものであるかをよりいっそう容易に知ることができ、消耗品を梱包材から開封する前に知ることで、開封の手間なしに地球環境への負荷を低減できる消耗品であることを知らせることができる。
【０１２６】
なお、本実施形態では、表示部１０１にＥｃｏｖｉｅｗアイコン１２０を備えて、表示切換えスイッチとしているが、画面サイズが小さく、且つ操作部（メニューキー、テンキー、プリントキー等）が小さくＥｃｏｖｉｅｗアイコンが設けられない場合には、表示部１０１以外の箇所にＥｃｏｖｉｅｗ操作キーを備えることもできる。また、本実施形態では、Ｅｃｏｖｉｅｗアイコン１２０を表示部１０１の右側下部に設けているが、特に限定せず、表示部１０１においての上部、下部、左側、右側の何れの箇所に設けてもよい。
【０１２７】
また、上述した実施形態では、本発明に係る消耗品販売システムの構成を図１に示すような操作パネル１００を有する画像形成装置１に適用した例について説明したが、消耗品の製品情報や温室効果ガス排出情報を表示可能な表示部を備える装置であれば、上述したような構成の画像形成装置や複写機に限定されるものではなく、インクジェット記録装置、または、その他の装置、例えば家電製品、民生用機器（映像・音響・通信などに関連した電子機器や装置、または端末において、一般消費者による使用・一般家庭での使用を目的としていること、または、そのことを前提に開発・設計された製品・規格を指す）、および業務用機器（法人(企業や学校、官公庁)など、一般家庭以外の用途を前提として開発された製品）等に展開が可能である。
また、入力部５０５としてタッチパネルを用いたが、Ｕｂｉ−Ｆｉｎｇｅｒデバイスを用いたジェスチャー入力装置等を用いてもよい。
【０１２８】
さらに、本実施例の画像形成装置１とＬＡＮ７００を介して画像形成装置１を操作できるパーソナルコンピュータや携帯情報端末、または液晶ディスプレイ（Liquid  Crystal  Display）、有機ＥＬディスプレイ（Organic  Electro-Luminescence  Display）、プラズマディスプレイ（Plasma  Display  Panel）、プラズマチューブアレイディスプレイ（Plasma  Tubes  Array  Display）、電気泳動等を利用した電子ペーパーディスプレイ、電子放出素子を用いたディスプレイ（Field  Emission  Display、Surface-conduction  Electron-emitter  Display）等のディスプレイを備えた電子機器も利用可能である。
【０１２９】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１３０】
１  画像形成装置
１００  操作パネル
１０１  表示部
１０１ａ  プレビュー画面
１０１ｂ  温室効果ガス排出情報選択画面（情報選択手段）
１０１ｃ  消耗品選択画面（消耗品選択手段）
１０１ｃ１  情報表示エリア
１０１ｄ  注文画面
１１０  操作キー
１１０ａ  ＤＯＣＵＭＥＮＴ  ＦＩＬＩＮＧ  モードの初期画面
１１０ｂ  ＩＭＡＧＥ  ＳＥＮＤ  モードの初期画面
１２０ａ  プレビュー確認用アイコン
１２０ｂ  Ｅｃｏｖｉｅｗアイコン
２０１  黒色トナーカートリッジ（使用中の消耗品）
２０２  イエロー色トナーカートリッジ（使用中の消耗品）
２０３  マゼンタ色トナーカートリッジ（使用中の消耗品）
２０４  シアン色トナーカートリッジ（使用中の消耗品）
２０５  透明トナーカートリッジ（使用中の消耗品）
２１０，３１０  カーボンフットプリントラベルのサムネイル
３０１  黒色トナーカートリッジ（室効果ガス排出量の少ない消耗品）
３０２  イエロー色トナーカートリッジ（室効果ガス排出量の少ない消耗品）
３０３  マゼンタ色トナーカートリッジ（室効果ガス排出量の少ない消耗品）
３０４  シアン色トナーカートリッジ（室効果ガス排出量の少ない消耗品）
３０５  透明トナーカートリッジ（室効果ガス排出量の少ない消耗品）
３２０  カーボン排出量増減比
５０１  制御部
５０２  記憶部
５０３  演算部
５０５  入力部
５０６  通信部（情報入手手段、選択結果通知手段）
５０９ａ  検出部
５２１  プレビュー画像（注文書）
６０１  プレビュー画像（依頼書の写し）
７００  ＬＡＮ（ローカルエリアネットワーク）
７０１  データ管理サーバ
７１０  衛星通信インフラ
【図１】
0005755897.tif 000002
【図２】
0005755897.tif 000003
【図３】
0005755897.tif 000004
【図４】
0005755897.tif 000005
【図５】
0005755897.tif 000006
【図６】
0005755897.tif 000007
【図７】
0005755897.tif 000008
【図８】
0005755897.tif 000009
【図９】
0005755897.tif 000010
【図１０】
0005755897.tif 000011
【図１１】
0005755897.tif 000012
【図１２】
0005755897.tif 000013
【図１３】
0005755897.tif 000014